(57)【要約】【課題】アンテナの通信状態が悪化するのを抑制しつつ通信装置を小型化すること。【解決手段】通信ユニット３０は、近距離無線通信用のアンテナ３５を有する通信基板３１と、通信基板３１にアンテナ３５を避けて設けられるＬＥＤ４３と、通信基板３１に配置され、アンテナ３５を避けてＬＥＤ４３に接続される配線４６と、を備える。アンテナ３５とＬＥＤ４３とが同一の通信基板３１に実装されるので、通信ユニット３０を小型化することができる。また、ＬＥＤ４３及び配線４６がアンテナ３５を避けて配置されるので、ＬＥＤ４３や配線４６によりアンテナ３５の通信状態が悪化するのを抑制することができる。【選択図】図３
2015191284.tif 000002
【特許請求の範囲】
【請求項１】
近距離無線通信用のアンテナを有する通信基板と、
前記通信基板に前記アンテナを避けて設けられる発光素子と、
前記通信基板に配置され、前記アンテナを避けて前記発光素子に接続される接続線と、
を備える、通信装置。
【請求項２】
請求項１記載の通信装置であって、
前記発光素子から照射される光を前記アンテナに導いて出射する導光部材を更に備える、通信装置。
【請求項３】
請求項２記載の通信装置であって、
前記アンテナは環状をしており、
前記発光素子と前記接続線は、前記アンテナの外側に配置され、
前記導光部材は、
前記アンテナの外側で前記発光素子に対向して配置された光入射面と、
前記アンテナの内側に配置された光出射面と、
を有する、通信装置。
【請求項４】
請求項３記載の通信装置であって、
前記通信基板の前記アンテナの外側に設けられ、前記アンテナに接続されて当該アンテナを用いた通信を制御する通信制御部と、
前記通信制御部と前記発光素子とを覆うシールド部材と、
を備える、通信装置。
【請求項５】
請求項４記載の通信装置であって、
前記シールド部材は、前記導光部材を連通させる切欠が設けられている、通信装置。
【請求項６】
請求項４または請求項５に記載の通信装置であって、
前記通信基板は、
一方の面に前記アンテナが配置され、
他方の面に前記発光素子と前記通信制御部とが配置され、
更に、前記アンテナの内側に開口が設けられ、
前記導光部材は、前記通信基板の前記他方の面側に配置され、前記開口を通して前記一方の面側に光を出射する、通信装置。
【請求項７】
請求項６記載の通信装置であって、
前記導光部材は、前記開口を貫通して前記光出射面が前記一方の面側に配置される、通信装置。
【請求項８】
請求項６または請求項７に記載の通信装置であって、
前記発光素子の発光面は、前記他方の面に沿って前記アンテナ側に向いており、
前記一方の面の少なくとも前記発光面に対応する対応領域に遮光性パターンが設けられる、通信装置。
【請求項９】
請求項８記載の通信装置であって、
前記通信基板の前記アンテナの外側に設けられ、前記通信制御部を駆動する電源電圧及び接地電圧を前記通信基板の外部から入力する電源入力部を備え、
前記遮光性パターンは、前記電源入力部に接続されて前記電源電圧と前記接地電圧のいずれか一方が入力される、通信装置。
【請求項１０】
請求項４から請求項９のいずれか一項に記載の通信装置であって、
前記通信基板は、長方形状をしており、
前記アンテナは、前記通信基板の長辺方向の一端側に配置され、
前記通信制御部は、前記通信基板の長辺方向の他端側であって、かつ、前記通信基板の短辺方向の一端側に配置され、
前記発光素子は、前記通信基板の長辺方向の他端側であって、かつ、前記通信基板の短辺方向の一端側に配置される、通信装置。
【請求項１１】
請求項４から請求項１０のいずれか一項に記載の通信装置であって、
前記通信制御部は、前記接続線を介して前記発光素子の発光を制御する発光制御信号を前記発光素子に出力する、通信装置。
【請求項１２】
請求項４から請求項１０のいずれか一項に記載の通信装置であって、
前記通信基板の前記アンテナの外側に設けられ、前記接続線を介して前記発光素子の発光を制御する発光制御信号を前記発光素子に出力する発光制御部を備え、
前記発光制御部は前記シールド部材の外側に配置される、通信装置。
【請求項１３】
請求項１２記載の通信装置であって、
前記発光制御部は、前記シールド部材に対して前記アンテナと逆側に配置される、通信装置。
【請求項１４】
請求項４から請求項１０のいずれか一項に記載の通信装置であって、
前記通信基板の前記アンテナの外側に設けられ、前記発光素子の発光を制御する発光制御信号を前記通信基板の外部から入力する信号入力部を備え、
前記接続線は、前記信号入力部に接続され、
前記発光素子は、前記接続線を介して前記発光制御信号が入力される、通信装置。
【請求項１５】
請求項１から請求項１４のいずれか一項に記載の通信装置と、
画像の読取および形成の少なくとも一方を実行する画像処理部と、
を備える、画像処理装置。
【発明の詳細な説明】
【技術分野】
【０００１】
近距離無線用のアンテナが配置された領域を光で示す技術に関する。
【背景技術】
【０００２】
従来から、ＩＣカード等の記憶媒体と非接触で送受信を行う情報機器において、記録媒体と送受信を行うアンテナ近傍を光らせる構造が知られている（特許文献１参照）。従来の構造では、アンテナとは別体のプリント基板に実装された発光素子から照射された光を、導光路によりアンテナの前面略中央位置に導いて放射する。
【先行技術文献】
【特許文献】
【０００３】
【特許文献１】特開２００６−３２３６１５号公報
【発明の概要】
【発明が解決しようとする課題】
【０００４】
しかし、上述した従来の構造では、アンテナが配置された通信基板と、発光素子が配置されたプリント基板とが別体であるため、情報機器などの通信装置を小型化しにくい問題が生じていた。その一方、アンテナと発光素子の位置関係について十分に検討しないままアンテナと発光素子とが同一の基板に配置されると、発光素子によりアンテナの通信状態が悪化する虞がある。
【０００５】
本明細書では、アンテナの通信状態が悪化するのを抑制しつつ通信装置を小型化することが可能な技術を開示する。
【課題を解決するための手段】
【０００６】
本明細書によって開示される通信装置は、近距離無線通信用のアンテナを有する通信基板と、前記通信基板に前記アンテナを避けて設けられる発光素子と、前記通信基板に配置され、前記アンテナを避けて前記発光素子に接続される接続線と、を備える。
【０００７】
この通信装置は、アンテナと発光素子とが同一の通信基板に配置されるので、装置を小型化することができる。また、発光素子及び当該発光素子に接続される接続線は、アンテナを避けて配置されることから、発光素子及び接続線によりアンテナの通信状態が悪化するのを抑制することができる。
【０００８】
上記通信装置では、前記発光素子から照射される光を前記アンテナに導いて出射する導光部材を更に備えてもよい。この通信装置は、発光素子から照射される光が導光部材によりアンテナに導かれる。これにより、導光部材を備えない場合に比べて発光素子をアンテナから離間して配置することができ、アンテナの通信状態が悪化するのを抑制することができる。
【０００９】
上記通信装置では、前記アンテナは環状をしており、前記発光素子と前記接続線は、前記アンテナの外側に配置され、前記導光部材は、前記アンテナの外側で前記発光素子に対向して配置された光入射面と、前記アンテナの内側に配置された光出射面と、を有してもよい。
【００１０】
この通信装置は、アンテナを跨いで導光部材を配置する。これにより、発光素子をアンテナの内側に配置することなくアンテナの内側を光らせることができ、アンテナの通信状態が悪化するのを抑制しつつ、使用者の視認性を向上させることができる。
【００１１】
上記通信装置では、前記通信基板の前記アンテナの外側に設けられ、前記アンテナに接続されて当該アンテナを用いた通信を制御する通信制御部と、前記通信制御部と前記発光素子とを覆うシールド部材と、を備えてもよい。
【００１２】
この通信装置は、発光素子がシールド部材に覆われている。これにより、導光部材の光出射面が配置されたアンテナの内側を光らせつつ、発光素子が配置されたアンテナの外側から光が漏れることを抑制することができる。
【００１３】
上記通信装置では、前記シールド部材は、前記導光部材を連通させる切欠が設けられていてもよい。これにより、発光素子がシールド部材に覆われている場合でも、アンテナの内側を光らせることができる。
【００１４】
上記通信装置では、前記通信基板は、一方の面に前記アンテナが配置され、他方の面に前記発光素子と前記通信制御部とが配置され、更に、前記アンテナの内側に開口が設けられ、前記導光部材は、前記通信基板の前記他方の面側に配置され、前記開口を通して前記一方の面側に光を出射してもよい。
【００１５】
この通信装置は、通信基板において、発光素子及び通信制御部がアンテナと異なる面に配置される。これにより、発光素子及び通信制御部がアンテナと等しい面に配置される場合に比べて、アンテナの通信状態が悪化するのを抑制することができる。また、通信基板には開口が設けられているので、発光素子がアンテナと異なる面に配置された場合でも、当該開口を通してアンテナが配置された通信基板の一方の面側を光らせることができる。
【００１６】
上記通信装置では、前記導光部材は、前記開口を貫通して前記光出射面が前記一方の面側に配置されていてもよい。これにより、アンテナが配置された通信基板の一方の面側を効率よく光らせることができる。
【００１７】
上記通信装置では、前記発光素子の発光面は、前記他方の面に沿って前記アンテナ側に向いており、前記一方の面の少なくとも前記発光面に対応する対応領域に遮光性パターンが設けられていてもよい。この通信装置は、通信基板の一方の面の対応領域に遮光性パターンが設けられるので、通信基板の一方の面側に光が漏れることを抑制することができる。
【００１８】
上記通信装置では、前記通信基板の前記アンテナの外側に設けられ、前記通信制御部を駆動する電源電圧及び接地電圧を前記通信基板の外部から入力する電源入力部を備え、前記遮光性パターンは、前記電源入力部に接続されて前記電源電圧と前記接地電圧のいずれか一方が入力されてもよい。この通信装置は、通信制御部の電源パターン、或いは、接地パターンを用いて、通信基板の一方の面側に光が漏れることを抑制することができる。
【００１９】
上記通信装置では、前記通信基板は、長方形状をしており、前記アンテナは、前記通信基板の長辺方向の一端側に配置され、前記通信制御部は、前記通信基板の長辺方向の他端側であって、かつ、前記通信基板の短辺方向の一端側に配置され、前記発光素子は、前記通信基板の長辺方向の他端側であって、かつ、前記通信基板の短辺方向の一端側に配置されてもよい。
【００２０】
この通信装置は、通信基板の長辺方向において、アンテナが通信制御部及び発光素子から離間して配置されるので、アンテナの通信状態が悪化するのを抑制することができる。また、通信基板の短辺方向において、通信制御部が発光素子から離間して配置されるので、発光素子から照射される光により、通信制御部が誤作動することを抑制することができる。
【００２１】
上記通信装置では、前記通信制御部は、前記接続線を介して前記発光素子の発光を制御する発光制御信号を前記発光素子に出力してもよい。この通信装置は、アンテナを用いた通信を制御する通信制御部を用いて発光素子の発光を制御するので、通信制御装置とは別に発光素子の発光を制御する構成を通信基板に設ける場合に比べて、通信基板の構成を簡素化することができる。
【００２２】
上記通信装置では、前記通信基板の前記アンテナの外側に設けられ、前記接続線を介して前記発光素子の発光を制御する発光制御信号を前記発光素子に出力する発光制御部を備え、前記発光制御部は前記シールド部材の外側に配置されてもよい。この通信装置は、発光制御部をシールド部材の外側に配置する。これにより、シールド部材内に通信制御部と発光制御部とが配置される場合に比べて、通信制御部と発光制御部との干渉が抑制され、アンテナの通信状態が悪化するのを抑制することができる。
【００２３】
上記通信装置では、前記発光制御部は、前記シールド部材に対して前記アンテナと逆側に配置されてもよい。この通信装置は、シールド部材に対して発光制御部がアンテナと逆側に配置されるので、発光制御部によりアンテナの通信状態が悪化するのを抑制することができる。
【００２４】
上記通信装置では、前記通信基板の前記アンテナの外側に設けられ、前記発光素子の発光を制御する発光制御信号を前記通信基板の外部から入力する信号入力部を備え、前記接続線は、前記信号入力部に接続され、前記発光素子は、前記接続線を介して前記発光制御信号が入力されてもよい。
【００２５】
この通信装置は、発光制御信号を生成する構成を通信基板上に配置しない。これにより、通信基板を小型化して形成することができる。また、発光制御信号を生成する構成が通信基板上に配置される場合に比べて、当該構成と通信制御部との干渉が抑制され、アンテナの通信状態が悪化するのを抑制することができる。
【００２６】
なお、本明細書によって開示される発明は、上記に記載の通信装置と、画像の読取および形成の少なくとも一方を実行する画像処理部と、を備える画像処理装置など、上記に記載の通信装置を含む種々の装置として実現することができる。
【発明の効果】
【００２７】
本明細書によって開示される発明によれば、アンテナの通信状態が悪化するのを抑制しつつ通信装置を小型化することが可能である。
【図面の簡単な説明】
【００２８】
【図１】プリンタの斜視図
【図２】通信ユニットの上面図
【図３】通信ユニットの下面図
【図４】実施形態１の通信基板の下面図
【図５】Ａ−Ａ断面における通信ユニットの断面図
【図６】プリンタの概略的な断面図
【図７】プリンタの電気的構成を示すブロック図
【図８】実施形態２の通信基板の下面図
【図９】実施形態３の通信基板の下面図
【発明を実施するための形態】
【００２９】
＜実施形態１＞
一実施形態のプリンタ１について図１から図７を参照しつつ説明する。
（１）プリンタの機能
プリンタ１は、画像処理装置の一例であり、後述する通信インタフェース部７６（図７参照）を介してパーソナルコンピュータなどの外部装置と通信可能に構成されており、外部装置から受信した画像形成命令に基づいてシートに画像を形成する。
【００３０】
また、プリンタ１はスマートフォンや認証カードなどの携帯端末と１０ｃｍ程度以内の至近距離で近距離無線通信を行うことが可能に構成されている。近距離無線通信は以下の（ａ）〜（ｃ）などの目的に利用することができる。なお、近距離無線通信をどのような目的に利用するかは適宜に決定することができる。
（ａ）携帯端末から画像形成装置に認証情報を送信する。
（ｂ）携帯端末から画像形成装置に画像形成命令を送信する。
（ｃ）携帯端末から画像形成装置を操作する。
【００３１】
本実施形態では上述した近距離無線通信の通信方式としてＮＦＣ（Ｎｅａｒ  Ｆｉｅｌｄ  Ｃｏｍｍｕｎｉｃａｔｉｏｎ）を用いる場合を例に説明する。ＮＦＣはＩＳＯ／ＩＥＣ２１４８１やＩＳＯ／ＩＥＣ１８０９２として勧告された近距離無線通信の国際標準規格である。一般に無線通信の通信方式には電波方式と電磁誘導方式とがあり、ＮＦＣは電磁誘導方式によって無線通信するものである。
【００３２】
次に、プリンタ１の外観について説明する。プリンタ１は樹脂製の筐体１０を有している。筐体１０は略箱状に形成されており、その上面に排出トレイ１１が設けられている。筐体１０の上面の排出トレイ１１の左側には操作パネル１２が設けられている。操作パネル１２は液晶ディスプレイなどの表示装置１２Ａ、各種の操作ボタン１２Ｂなどを備えて構成されている。表示装置１２Ａは表示部分に物体の接触を検出するタッチセンサを有している。以降の説明ではタッチセンサを有している表示装置１２Ａのことをタッチスクリーン１２Ａという。
【００３３】
使用者はタッチスクリーン１２Ａや操作ボタン１２Ｂを操作することによって各種の設定や、各種の命令の入力等を行うことができる。また、タッチスクリーン１２Ａには使用者が近距離無線通信用のアンテナ３５（図２参照）に携帯端末をかざしたときに近距離無線通信の確立が成功したか否かを示す情報などが表示される。
【００３４】
筐体１０の内部の左側には、制御基板２５が設けられている。制御基板２５には、ＣＰＵ７１やＡＳＩＣ（Application Specific Integrated Circuit）７５（図７参照）などが実装されており、ＣＰＵ７１やＡＳＩＣ７５は、後述する画像形成部２０などの制御を行う。
【００３５】
筐体１０の前面の下側には、シートが収容されるシートトレイ１４が筐体１０に対して引き出し可能に設けられている。また、筐体１０の前面においてシートトレイ１４の上側にはフロントカバー１５が設けられている。フロントカバー１５は、その下端に設けられたヒンジ１８によって筐体１０の前面に対して開閉可能に設けられており、主に使用者がトナーやインクを交換するなどのメンテナンス作業を行うために設けられている。
【００３６】
フロントカバー１５は、筐体１０に対して閉じられた閉状態において筐体の前面を覆う前板１５Ａと、上記閉状態において筐体の上面を覆う天板１５Ｂとを含む。天板１５Ｂは、フロントカバー１５の閉状態において排出トレイ１１よりも前側に位置し、筐体の上面の前端を覆う。ここで前側とは、使用者がプリンタ１を操作すると想定されている側のことをいい、操作パネル１２のタッチスクリーン１２Ａに表示される文字は使用者が前側からからプリンタ１を見たときに正しく読めるように表示され、操作ボタン１２Ｂに表記されている文字は使用者が操作すると想定されている前側からプリンタを見たときに正しく読めるように表記されている。
【００３７】
図１に示すように、近距離無線通信用のアンテナ３５を有する通信ユニット３０は、フロントカバー１５の天板１５Ｂの表面側に設けられている。通信ユニット３０は、天板１５Ｂの左側に設けられており、操作パネル１２の前側に配置される。通信ユニット３０は、通信装置の一例である。
【００３８】
通信ユニット３０は、天板１５Ｂの左側においてアンテナ３５が通信回路４２（図２参照）よりも左側に位置する向きで天板１５Ｂに配置されている。そのため、フロントカバー１５の閉状態において、通信基板３１のアンテナ３５は、アンテナ３５が通信回路４２よりも右側に位置する向きで天板１５Ｂに配置されるよりも、左右方向において排出トレイ１１に対してずれた位置に配置されやすく、排出トレイ１１に排出されるシートによって覆われることが抑制されている。
【００３９】
図２、３に示すように、通信ユニット３０は通信基板３１と導光部材３２とを含む。通信基板３１は長方形状をしており、近距離無線用のループ状のアンテナ３５、アンテナ３５に接続されている通信回路４２、ＬＥＤ４３、コネクタ４４などが実装されている。ループ状のアンテナ３５の内側には、通信基板３１を面方向に貫通する光透過穴３７が形成されている。導光部材３２は、導光部材の一例であり、通信回路４２は、通信制御部の一例である。また、ＬＥＤ４３は、発光素子の一例であり、コネクタ４４は、電源入力部の一例であり、光透過穴３７は、開口の一例である。
【００４０】
図２に示すように、アンテナ３５は通信基板３１がプリンタ１に取り付けられている状態において上を向く上面３１Ａに実装されている。通信基板３１は、その長辺方向がプリンタ１の左右方向を向く姿勢で配置されており、アンテナ３５は、通信基板３１の上面３１Ａの左端側に配置される。一方、通信基板３１の上面３１Ａの右端側には、接地電圧が接続される配線パターンであるベタパターン３６が形成されている。通信基板３１の上面３１Ａは、通信基板の一方の面の一例である。また、ベタパターン３６は、遮光性パターンの一例である。
【００４１】
また、図３に示すように、通信回路４２、ＬＥＤ４３、及び、コネクタ４４などはプリンタ１に取り付けられている状態において下を向く通信基板３１の下面３１Ｂに実装されている。通信回路４２、ＬＥＤ４３、及び、コネクタ４４などは、通信基板３１の下面３１Ｂの右端側に配置され、アンテナ３５を避けた位置、つまり、ループ状のアンテナ３５の外側に実装される。通信基板３１の下面３１Ｂは、通信基板の他方の面の一例である。
【００４２】
このうち、通信回路４２とＬＥＤ４３は、金属性のシールド４１に覆われており、シールド４１の外側にコネクタ４４が実装されている。従来から通信基板３１では、制御基板２５などから生じる電磁波の影響を抑制するためにシールド４１が設けられており、本実施形態では、当該シールド４１を用いて通信回路４２とともにＬＥＤ４３も覆われている。
【００４３】
図４にシールド４１を除いた通信基板３１の下面３１Ｂを示す。コネクタ４４は、ハーネス（図示せず）によって制御基板２５に接続されており、通信回路４２を駆動する電源電圧及び接地電圧が制御基板２５から入力される。コネクタ４４に入力された電源電圧及び接地電圧は、配線４５を介して通信回路４２に入力される。また、コネクタ４４に入力された接地電圧は、通信基板３１に設けられたスルーホール４８によりベタパターン３６に入力される。シールド４１は、シールド部材の一例である。
【００４４】
通信回路４２は、通信基板３１の下面３１Ｂの右後端側に配置され、コネクタ４４を介して入力される電源電圧及び接地電圧により駆動する。通信回路４２は、配線４７を介してアンテナ３５に接続されており、アンテナ３５を用いた携帯端末との近距離無線通信を制御する。通信回路４２は、アンテナ３５を用いて近距離無線通信を行い、コネクタ４４を介してその結果を制御基板２５に出力する。また、通信回路４２は、配線４６を介してＬＥＤ４３に接続されており、電流値が制御された電流信号など、ＬＥＤ４３の発光を制御する発光制御信号をＬＥＤ４３に出力する。配線４６は、接続線の一例である。
【００４５】
ＬＥＤ４３は、通信基板３１の下面３１Ｂの右前端側に配置され、通信回路４２からの発光制御信号により発光する。ＬＥＤ４３はサイド型ＬＥＤであり、その発光面４３Ａが通信基板３１の下面３１Ｂに沿って左側、つまり、アンテナ３５側に向いている。
【００４６】
ＬＥＤ４３の発光面４３Ａは、導光部材３２の配置に併せてやや後面側に向いているが、通信回路４２がＬＥＤ４３の発光面４３Ａ側に配置されることが回避されている。また、ＬＥＤ４３の発光面４３Ａが配置された位置に対応する通信基板３１の上面３１Ａには、ベタパターン３６が設けられており（図２参照）、ＬＥＤ４３から照射された光が通信基板３１を透過して通信基板３１の上面３１Ａ側に漏れることが抑制されている。
【００４７】
なお、配線４５、４６は、通信回路４２、ＬＥＤ４３、及び、コネクタ４４などと同様に、通信基板３１の下面３１Ｂの右端側に配置され、アンテナ３５を避けた位置、つまり、ループ状のアンテナ３５の外側に配置される。
【００４８】
また、図３に示すように、導光部材３２は通信基板３１の下面３１Ｂ側に配置され、ＬＥＤ４３から照射される光をアンテナ３５へと導いて出射する。そして、導光部材３２は導かれた光を、光透過穴３７を通して通信基板３１の上面３１Ａ側に出射する。
【００４９】
図５は、図３におけるＡ−Ａ断面における通信ユニット３０の断面図である。図５に示すように、シールド４１には切欠４１Ａが設けられており、導光部材３２は切欠４１Ａを介してシールド４１内に連通し、その右端部３２ＡがＬＥＤ４３の発光面４３Ａに対向する。これにより、ＬＥＤ４３から照射される光は導光部材３２の右端部３２Ａから導光部材３２に入射される。導光部材３２の右端部３２Ａは、光入射面の一例である。
【００５０】
導光部材３２はアンテナ３５を下面３１Ｂ側から跨いでアンテナ３５の内側へ延び、その左端部３２Ｂが光透過穴３７に至る。そして、導光部材３２の左端部３２Ｂは、光透過穴３７を下面３１Ｂ側から上面３１Ａ側に貫通し、通信基板３１の上面３１Ａよりも上側に突出している。これにより、導光部材３２に入射された光は通信基板３１の上面３１Ａ側に出射される。導光部材３２の左端部３２Ｂは、光出射面の一例である。
【００５１】
図１に示すように、フロントカバー１５の天板１５Ｂにおいて、通信ユニット３０は透光性を有する保護カバー２７によって上側が覆われており、使用者はアンテナ３５を直接視認することはできない。そのため、プリンタ１は携帯端末と近距離無線通信を行う際に、通信ユニット３０のＬＥＤ４３を発光させ、導光部材３２を介して保護カバー２７のアンテナ３５の内側に相当する領域１７を発光させるように構成されており、使用者はその光によってアンテナ３５の位置を把握することができる。
【００５２】
（２）プリンタの内部構造
次に、図６を参照して、プリンタ１の内部構造について概略的に説明する。プリンタ１はシートトレイ１４、画像形成部２０、搬送部２１などを備えて構成されている。
【００５３】
搬送部２１は図示された、又は、図示しない複数の搬送ローラやそれらの搬送ローラを回転駆動するモータなどを備えており、シートトレイ１４に収容されているシートを１枚ずつ搬送経路Ｔに沿って搬送する。画像形成部２０は搬送部２１によって搬送されているシートに電子写真方式やインクジェット方式などで画像を形成する。画像形成部２０によって画像が形成されたシートは、搬送部２１によって排紙口２２から筐体１０の前側に向かって排出され、排出トレイ１１上に載置される。画像形成部は、画像処理部の一例である。
【００５４】
（３）プリンタの電気的構成
図７を参照して、プリンタ１の電気的構成について概略的に説明する。プリンタ１は、ＣＰＵ７１、ＲＯＭ７２、ＲＡＭ７３、ＮＶＲＡＭ７４、ＡＳＩＣ７５、画像形成部２０、搬送部２１、操作パネル１２、通信インタフェース部７６、通信ユニット３０などを備えて構成されている。このうち、ＣＰＵ７１、ＲＯＭ７２、ＲＡＭ７３、ＮＶＲＡＭ７４、及び、ＡＳＩＣ７５が、制御基板２５に実装されている。
【００５５】
ＲＯＭ７２には、プリンタ１の動作を制御するための各種プログラムが記憶されており、各種のプログラムには、例えば画像形成部２０を制御するためのプログラムが含まれる。ＣＰＵ７１は、ＲＯＭ７２から読み出したプログラムに従って、その処理結果をＲＡＭ７３やＮＶＲＡＭ７４に記憶させながら、必要に応じてＡＳＩＣ７５などのハード回路を用いてプリンタ１の各部を制御する。
【００５６】
通信インタフェース部７６は、ＵＳＢ（Ｕｎｉｖｅｒｓａｌ  Ｓｅｒｉａｌ  Ｂｕｓ）、ＬＡＮ（Ｌｏｃａｌ  Ａｒｅａ  Ｎｅｔｗｏｒｋ）、インターネットなどの通信回線を介して外部の装置と通信する。
【００５７】
（４）実施形態の効果
上述した本実施形態では、アンテナ３５とＬＥＤ４３とが同一の通信基板３１に実装されるので、アンテナ３５とＬＥＤ４３とが異なる基板に実装されていた従来の構造に比べて、通信ユニット３０を小型化することができる。これによりプリンタ１を小型化することが可能である。
【００５８】
また、ＬＥＤ４３及びＬＥＤ４３に接続される配線４６は、アンテナ３５を避けてアンテナ３５の外側に配置される。ＬＥＤ４３の内部には金属製の電極が用いられており、配線４６は銅線などの金属配線である。そのため、ＬＥＤ４３や配線４６がアンテナ３５の外側に配置されることで、これらの構成がアンテナ３５の内側に配置された場合に比べて、金属を含む構成がアンテナ３５の内側に配置されることが抑制される。これにより、ＬＥＤ４３が通信基板３１に実装された場合でも、ＬＥＤ４３や配線４６によりアンテナ３５の通信状態が悪化するのを抑制することができる。
【００５９】
上述した本実施形態では、ＬＥＤ４３から照射される光が導光部材３２によりアンテナ３５に導かれる。これにより、導光部材３２を備えない場合に比べてＬＥＤ４３をアンテナ３５から離間して配置することができ、アンテナ３５の通信状態が悪化するのを抑制することができる。
【００６０】
上述した本実施形態では、アンテナ３５を跨いで導光部材３２を配置する。これにより、ＬＥＤ４３をアンテナ３５の内側に配置することなく保護カバー２７のアンテナ３５の内側に相当する領域１７を光らせることができ、アンテナ３５の通信状態が悪化するのを抑制しつつ、使用者のアンテナ３５位置の視認性を向上させることができる。
【００６１】
上述した本実施形態では、ＬＥＤ４３がシールド４１に覆われている。これにより、導光部材３２を用いてアンテナ３５の内側を光らせつつ、アンテナ３５の外側のＬＥＤ４３が配置された部分から光が漏れることを抑制することができる。また、シールド４１は、従来から通信回路４２を覆うために用いられているものを援用することができ、通信ユニット３０の製造コストが上昇することを抑制することができる。
【００６２】
上述した本実施形態では、シールド４１に切欠４１Ａが設けられている。これにより、ＬＥＤ４３がシールド４１に覆われている場合でも、アンテナ３５の内側を光らせることができる。
【００６３】
上述した本実施形態では、ＬＥＤ４３及び通信回路４２が通信基板３１のアンテナ３５と異なる面に実装されている。これにより、ＬＥＤ４３及び通信回路４２が通信基板３１のアンテナ３５と等しい面に実装される場合に比べて、アンテナ３５の通信状態が悪化するのを抑制することができる。また、ＬＥＤ４３及び通信回路４２とアンテナ３５とを近接して配置することができ、通信基板３１を小型化して形成することができる。
【００６４】
ＬＥＤ４３及び通信回路４２が通信基板３１のアンテナ３５と等しい面に実装された場合、ＬＥＤ４３及び通信回路４２によるアンテナ３５の通信状態への影響を抑制するために、ＬＥＤ４３及び通信回路４２とアンテナ３５とを通信状態への影響が一定程度よりも少なくなる基準距離以上離反させる必要がある。そのため、通信基板３１の例えば長辺方向の長さが基準距離以上となる必要があり、通信基板３１が大型化してしまう。
【００６５】
本実施形態では、ＬＥＤ４３及び通信回路４２が通信基板３１のアンテナ３５と異なる面に実装されているので、ＬＥＤ４３及び通信回路４２とアンテナ３５とを基準距離以上離反させる必要がない。そのため、通信基板３１を小型化して形成することができ、これにより、プリンタ１を小型化することが可能である。
【００６６】
上述した本実施形態では、導光部材３２が通信基板３１のアンテナ３５と異なる面に実装されている一方、導光部材３２の光出射面である左端部３２Ｂは、光透過穴３７を貫通して通信基板３１の上面３１Ａよりも上側に突出している。これにより、通信基板３１のアンテナ３５と異なる面に配置された導光部材３２及びＬＥＤ４３を用いて、保護カバー２７のアンテナ３５の内側に相当する領域１７を効率よく光らせることができる。
【００６７】
上述した本実施形態では、ＬＥＤ４３の発光面４３Ａが配置された位置に対応する通信基板３１の上面３１Ａには、ベタパターン３６が設けられているので、ＬＥＤ４３の発光面４３Ａから照射された光が通信基板３１の上面３１Ａ側に漏れることを抑制することができる。
【００６８】
また、ベタパターン３６は、接地電圧が入力されて接地パターンとして用いられる。これにより、通信回路４２を駆動する接地電圧、及び、当該接地電圧に対して一定の電位差を有する電源電圧を安定させることができ、アンテナ３５の通信状態が悪化するのを抑制しつつ、ＬＥＤ４３の発光面４３Ａから照射された光が通信基板３１の上面３１Ａ側に漏れることを抑制することができる。
【００６９】
上述した本実施形態では、通信基板３１の長辺方向（左右方向）において、アンテナ３５が通信回路４２及びＬＥＤ４３から離間して配置されるので、アンテナ３５の通信状態が悪化するのを抑制することができる。また、通信基板３１の短辺方向（前後方向）において、通信回路４２がＬＥＤ４３から離間して配置されるので、ＬＥＤ４３から照射される光により、通信回路４２が誤作動することを抑制することができる。
【００７０】
上述した本実施形態では、通信回路４２を用いてＬＥＤ４３の発光を制御する。これにより、通信回路４２とは別にＬＥＤ４３の発光を制御する回路を通信基板３１に設ける場合に比べて、通信基板３１の構成を簡素化することができる。
【００７１】
＜実施形態２＞
別の実施形態のプリンタ１について図８を用いて説明する。本実施形態では、通信基板３１に通信回路４２とは別にＬＥＤ４３の発光を制御する発光制御回路５０が設けられている点で、上記の実施形態のプリンタ１と異なる。発光制御回路５０は、発光制御部の一例である。以下の説明では、上記の実施形態と同一の内容については重複した記載を省略する。
【００７２】
（１）通信回路の構成
図８に本実施形態の通信基板３１の下面３１Ｂを示す。発光制御回路５０は、通信基板３１の下面３１Ｂの右端側に配置され、アンテナ３５を避けた位置、つまり、ループ状のアンテナ３５の外側に実装される。
【００７３】
また、発光制御回路５０は、シールド４１の外側に実装される。発光制御回路５０は、配線５１を介してコネクタ４４に接続されており、制御基板２５から入力される発光命令に基づいて発光制御信号を生成する。発光制御回路５０は、配線５２を介してＬＥＤ４３に接続されており、生成した発光制御信号をＬＥＤ４３に出力する。配線５２は、接続線の別例である。
【００７４】
更に、発光制御回路５０は、シールド４１よりも右端側に配置される。つまり、発光制御回路５０は、シールド４１に対してアンテナ３５と逆側に配置され、シールド４１よりもアンテナ３５から離れて配置される。
【００７５】
（２）実施形態の効果
上述した本実施形態では、発光制御回路５０をシールド４１の外側に実装する。これにより、シールド４１内に通信回路４２と発光制御回路５０とが配置される場合に比べて、通信回路４２と発光制御回路５０との干渉が抑制される。そのため、当該干渉により近距離無線通信を行った結果が正しく出力されないなど、アンテナ３５の通信状態が悪化するのを抑制することができる。
【００７６】
上述した本実施形態では、発光制御回路５０がシールド４１に対してアンテナ３５と逆側に配置される。これにより、発光制御回路５０が通信基板３１に実装された場合でもアンテナ３５の通信状態が悪化するのを抑制することができる。
【００７７】
＜実施形態３＞
また、別の実施形態のプリンタ１について図９を用いて説明する。本実施形態では、制御基板２５を用いてＬＥＤ４３の発光を制御する点で、上記の実施形態のプリンタ１と異なる。つまり、通信基板３１上には、発光制御信号を生成する回路が存在しない点で、上記の実施形態のプリンタ１と異なる。以下の説明では、上記の実施形態と同一の内容については重複した記載を省略する。
【００７８】
（１）通信回路の構成
図９に本実施形態の通信基板３１の下面３１Ｂを示す。コネクタ４４は制御基板２５に接続されており、制御基板２５から発光制御信号が入力される。コネクタ４４に入力された発光制御信号は、配線５５を介してＬＥＤ４３に入力される。コネクタ４４は、信号入力部の一例であり、配線５５は、接続線の別例である。
【００７９】
（２）実施形態の効果
上述した本実施形態では、発光制御信号を生成する回路を通信基板３１上に配置しない。これにより、通信基板３１を小型化して形成することができる。また、発光制御信号を生成する構成が通信基板上に配置される場合に比べて、当該構成と通信回路４２との干渉が抑制され、アンテナ３５の通信状態が悪化するのを抑制することができる。
【００８０】
＜他の実施形態＞
上記記述及び図面によって説明した実施形態に限定されるものではなく、例えば次のような実施形態も技術的範囲に含まれる。
【００８１】
「画像処理装置」は、プリンタに限らず、例えば、原稿の画像を読み取る画像読取部を備えたスキャナ、或は、プリント機能やファックス機能を備えた複合機であってもよい。
【００８２】
「発光素子」は、ＬＥＤに限らず、冷陰極ランプなどでもよい。
【００８３】
「光出射面」は、必ずしも通信基板３１の上面３１Ａ側に突出している必要はなく、通信基板３１の上面３１Ａよりも下側に位置していてもよい。
【００８４】
上記実施形態では、ＬＥＤ４３により保護カバー２７のアンテナ３５の内側に相当する領域１７を発光させる例を示したが、アンテナ３５の周囲に相当する領域を発光させてもよい。アンテナ３５の周囲に相当する領域を発光させることさえできるのであれば、導光部材３２を設けなくともよい。
【００８５】
導光部材３２の形状も上記実施形態に限られず、通信基板３１に設けられた光透過穴３７の位置や形状、及び、通信基板３１上のＬＥＤ４３の位置に基づいて適宜置き換えることができる。
【００８６】
上記実施形態では、ベタパターンに接地電圧が入力される例を示したが、電源電圧が入力されてもよい。また遮光パターンは、配線パターンである必要もなく、遮光性の絶縁膜や塗料などで遮光パターンが形成されていてもよい。
【符号の説明】
【００８７】
１２：操作パネル、１５：フロントカバー、２０：画像形成部、２５：制御基板、３０：通信ユニット、３１：通信基板、３２：導光部材、３５：アンテナ、３６：ベタパターン、３７：光透過穴、４１：シールド、４１Ａ：切欠、４２：通信回路、４３：ＬＥＤ、４４：コネクタ、５０：発光制御回路
【図１】
2015191284.tif 000003
【図２】
2015191284.tif 000004
【図３】
2015191284.tif 000005
【図４】
2015191284.tif 000006
【図５】
2015191284.tif 000007
【図６】
2015191284.tif 000008
【図７】
2015191284.tif 000009
【図８】
2015191284.tif 000010
【図９】
2015191284.tif 000011